【手続補正書】
【提出日】平成27年5月20日(2015.5.20)
【手続補正１】
【補正対象書類名】特許請求の範囲
【補正対象項目名】全文
【補正方法】変更
【補正の内容】
【特許請求の範囲】
【請求項１】
電流センサで検出された電路の電流および電圧センサで検出された前記電路の電圧から演算により前記電路の被計測電気量である計測データを生成する計測部、
データ格納部、
前記計測部から前記計測データの周期的読み出しを行い、当該読み出しが行われた計測データを前記データ格納部に格納するデータ処理部、及び
前記データ格納部に格納された計測データを計器外部へ送信するデータ出力部を備え、
前記データ格納部は、所定数のデータ格納エリアを有する複数個のブロックに分割され、
前記データ処理部は、前記周期的読み出しの１周期分の計測データを前記複数個のブロックに分散して各前記ブロックの前記データ格納エリアに格納し、前記複数個のブロックに分散して格納された計測データに閾値を超過している計測データが含まれていない場合は、前記計測データが格納された前記複数個のブロックのうちの最初の一部のブロック以外の他の後続のブロックに格納されている計測データを削除し、この前記計測データが削除されたブロックを含む後続の複数個のブロックに次の周期分の前記読み出しが行われた計測データを分散して前記計測データが削除されたブロックを含む後続の複数個のブロックの各々の前記データ格納エリアに格納する
ことを特徴とする電子式計器。
【請求項２】
請求項１に記載の電子式計器において、前記データ処理部は、前記複数個のブロックに分散して前記データ格納エリアに格納された計測データに閾値を超過しているデータが含まれている場合は、前記計測データが格納された前記複数個のブロックのうちの最初の一部のブロック以外の他の後続のブロックに格納されている前記計測データを削除せずにそのまま残し、前記１周期分の前記読み出しが行われた計測データが前記分散して格納された前記複数個のブロックの後に続く複数個のブロックに次の１周期分の前記読み出しが行われた計測データを分散して格納する
ことを特徴とする電子式計器。
【請求項３】
請求項２に記載の電子式計器において、前記データ処理部は、前記複数個のブロックに分散して前記データ格納エリアに格納された計測データに閾値を超過しているデータが含まれている場合は、当該閾値を超過している計測データを含む前記ブロックのヘッダ領域
に、閾値を超過している計測データが存在することを意味する閾値超過情報をセットすることを特徴とする電子式計器。
【手続補正２】
【補正対象書類名】明細書
【補正対象項目名】０００９
【補正方法】変更
【補正の内容】
【０００９】
この発明に係る電子式計器は、
電流センサで検出された電路の電流および電圧センサで検出された前記電路の電圧から演算により前記電路の被計測電気量である計測データを生成する計測部、
データ格納部、
前記計測部から前記計測データの周期的読み出しを行い、当該読み出しが行われた計測データを前記データ格納部に格納するデータ処理部、及び
前記データ格納部に格納された計測データを計器外部へ送信するデータ出力部を備え、
前記データ格納部は、所定数のデータ格納エリアを有する複数個のブロックに分割され、
前記データ処理部は、前記周期的読み出しの１周期分の計測データを前記複数個のブロックに分散して各前記ブロックの前記データ格納エリアに格納し、前記複数個のブロックに分散して格納された計測データに閾値を超過している計測データが含まれていない場合は、前記計測データが格納された前記複数個のブロックのうちの最初の一部のブロック以外の他の後続のブロックに格納されている計測データを削除し、この前記計測データが削除されたブロックを含む後続の複数個のブロックに次の周期分の前記読み出しが行われた計測データを分散して前記計測データが削除されたブロックを含む後続の複数個のブロックの各々の前記データ格納エリアに格納するものである。
【手続補正３】
【補正対象書類名】明細書
【補正対象項目名】００１０
【補正方法】変更
【補正の内容】
【００１０】
この発明は、電流センサで検出された電路の電流および電圧センサで検出された前記電路の電圧から演算により前記電路の被計測電気量である計測データを生成する計測部、データ格納部、前記計測部から前記計測データの周期的読み出しを行い、当該読み出しが行われた計測データを前記データ格納部に格納するデータ処理部、及び前記データ格納部に格納された計測データを計器外部へ送信するデータ出力部を備え、前記データ格納部は所定数のデータ格納エリアを有する複数個のブロックに分割され、前記データ処理部は、前記周期的読み出しの１周期分の計測データを前記複数個のブロックに分散して各前記ブロックの前記データ格納エリアに格納し、前記複数個のブロックに分散して格納された計測データに閾値を超過している計測データが含まれていない場合は、前記計測データが格納された前記複数個のブロックのうちの最初の一部のブロック以外の他の後続のブロックに格納されている計測データを削除し、この前記計測データが削除されたブロックを含む後続の複数個のブロックに次の周期分の前記読み出しが行われた計測データを分散して前記計測データが削除されたブロックを含む後続の複数個のブロックの各々の前記データ格納エリアに格納するので、大容量のデータ格納部が要求されるような詳細な計測データの格納を、電子式計器において可能となる効果がある。
【手続補正４】
【補正対象書類名】明細書
【補正対象項目名】００１１
【補正方法】変更
【補正の内容】
【００１１】
【図１】この発明の実施の形態１を示す図で、電子式計器の使用対象電路の事例を示す接続図である。
【図２】この発明の実施の形態１を示す図で、電路への襲雷時における電圧の変化の事例を示す図である。
【図３】この発明の実施の形態１を示す図で、電路に漏電が発生した場合の電流の変化の事例を示す図である。
【図４】この発明の実施の形態１を示す図で、工作機械等の電動機を使用した装置の始動電流の変化の事例を示す図である。
【図５】この発明の実施の形態１を示す図で、電子式計器の内部構成の事例を示すブロック図である。
【図６】この発明の実施の形態１を示す図で、図５に例示の電子式計器における計測データ処理についての事例をフローチャートで示す動作説明図である。
【図７】この発明の実施の形態１を示す図で、図５に例示の電子式計器におけるデータ格納部へのデータ格納制御動作の事例をフローチャートで示す動作説明図である。
【図８】この発明の実施の形態１を示す図で、データ格納部に、或る周期１と当該周期１の次の次の周期３に閾値越えの計測データがある場合（例１）の計測データ格納状態を例示する図である。
【図９】この発明の実施の形態１を示す図で、データ格納部に、閾値越えのデータがない場合（例２）の計測データ格納状態を例示する図である。
【図１０】この発明の実施の形態１を示す図で、データ格納部に格納された計測データから連続データを読み出し処理する事例をフローチャートで例示する動作説明図である。
【図１１】この発明の実施の形態１を示す図で、データ格納部に格納された計測データから間引きデータを読み出し処理する事例をフローチャートで例示する動作説明図である。
【図１２】この発明の実施の形態１を示す図で、（１）は例１（データ格納部に、或る周期１と当該周期１の次の次の周期３に閾値越えの計測データがある場合）の状況で連続データを取出す場合の概念を、（２）は例１の状況で間引きデータを取出す場合の概念を、それぞれ示す図である。
【図１３】この発明の実施の形態１を示す図で、（１）は例２（データ格納部に、閾値越えのデータがない場合）の状況で連続データを取出す場合の概念を、（２）は例２の状況で間引きデータを取出す場合の概念を、それぞれ示す図である。
【図１４】この発明の実施の形態１を示す図で、図２（電路への襲雷時における電圧の変化の事例を示す図）に対応する実計測データをデータ格納部に格納した事例を示す図である。
【図１５】この発明の実施の形態１を示す図で、図３（電路に漏電が発生した場合の電流の変化の事例を示す図）に対応する実計測データをデータ格納部に格納した事例を示す図である。
【図１６】この発明の実施の形態１を示す図で、図４（工作機械等の電動機を使用した装置の始動電流の変化の事例を示す図）に対応する実計測データをデータ格納部に格納した事例を示す図である。
【手続補正５】
【補正対象書類名】明細書
【補正対象項目名】００２９
【補正方法】変更
【補正の内容】
【００２９】
ステップST73の処理後、ブロック1の先頭データ領域（データ格納エリア）にサンプリングデータを格納する（ステップST74）。
【手続補正６】
【補正対象書類名】明細書
【補正対象項目名】００４７
【補正方法】変更
【補正の内容】
【００４７】
次いで、図４（工作機械等の電動機を使用した装置の始動電流の変化の事例を示す図）に対応する実計測データをデータ格納部に格納した事例を示す図１６について説明する。
図１６は、サンプリングデータ（Ａ）：始動電流（実効値）、周期（Ｔ）：5分、サンプリング間隔（△ｔ）：100ミリ秒、及び間引きデータの間隔（△Ｔ）：1秒の条件、及びこれら条件に依存する条件（１周期のデータ数（Ｍ）：5分／100ミリ秒＝3000個、１ブロックのデータ数（ｎ）：5分／10秒＝30個、ブロック数（N）：3000個／30個＝100個）において全てのブロックに閾値越えの計測データがない場合、ブロック１以外の他の全てのブロック（ブロック2〜ブロック100）が削除されるので、3000個の計測データが30個まで減る。従って、データ格納部(メモリ)122には大きな余裕をつくることができ、本実施の形態の効果が大であることが分かる。
【手続補正７】
【補正対象書類名】明細書
【補正対象項目名】００４８
【補正方法】変更
【補正の内容】
【００４８】
前述のように、本実施の形態１は、次のような技術的特徴を有している。
特徴１：電流センサで検出された電路の電流および電圧センサで検出された前記電路の電圧から演算により前記電路の被計測電気量である計測データを生成する計測部、データ格納部、前記計測部から前記計測データの周期的読み出しを行い、当該読み出しが行われた計測データを前記データ格納部に格納するデータ処理部、及び前記データ格納部に格納された計測データを計器外部へ送信するデータ出力部を備え、前記データ格納部は、所定数のデータ格納エリアを有する複数個のブロックに分割され、前記データ処理部は、前記周期的読み出しの１周期分の計測データを前記複数個のブロックに分散して各前記ブロックの前記データ格納エリアに格納し、前記複数個のブロックに分散して格納された計測データに閾値を超過している計測データが含まれていない場合は、前記計測データが格納された前記複数個のブロックのうちの最初の一部のブロック以外の他の後続のブロックに格納されている計測データを削除し、この前記計測データが削除されたブロックを含む後続の複数個のブロックに次の周期分の前記読み出しが行われた計測データを分散して前記計測データが削除されたブロックを含む後続の複数個のブロックの各々の前記データ格納エリアに格納する電子式計器である。
特徴２：特徴１に記載の電子式計器において、前記データ処理部は、前記複数個のブロックに分散して前記データ格納エリアに格納された計測データに閾値を超過しているデータが含まれている場合は、前記計測データが格納された前記複数個のブロックのうちの最初の一部のブロック以外の他の後続のブロックに格納されている前記計測データを削除せずにそのまま残し、前記１周期分の前記読み出しが行われた計測データが前記分散して格納された前記複数個のブロックの後に続く複数個のブロックに次の１周期分の前記読み出しが行われた計測データを分散して格納するものである。
特徴３：特徴２に記載の電子式計器において、前記データ処理部は、前記複数個のブロックに分散して前記データ格納エリアに格納された計測データに閾値を超過しているデータが含まれている場合は、当該閾値を超過している計測データを含む前記ブロックのヘッダー領域に、閾値を超過している計測データが存在することを意味する閾値超過情報をセットするものである。
特徴４：電流および電圧信号から電気量（実効値）を演算する計測部と、所定数Ｎのエリアに分割され、前記電気量が格納されるデータ格納部と、前記計測部より前記電気量を読み出し、前記格納部の所定数Ｎのエリアに順番に分散して格納するデータ処理部と、前記データ格納部より計測データを読み出し、外部に送信するデータ読み出し処理部と、を備えた電子式計器において、前記データ処理部は、１周期分の計測完了時に、該周期内の計測データが閾値を超過していない場合、該周期の２ブロック以降のエリアのデータを削除して前記２ブロック以降のエリアに次の周期のエリアを確保し、該周期内の計測データが閾値を超過していた場合、次の周期のエリアを新たに確保するものである。
特徴５：特徴４に記載の電子式計器において、前記データ処理部は、該周期内の計測データが閾値を超過していた場合、そのエリアのヘッダー情報に閾値超過情報をセットするものである。
【手続補正８】
【補正対象書類名】図面
【補正対象項目名】図１２
【補正方法】変更
【補正の内容】
【図１２】
2014115235.tif 000001
【手続補正９】
【補正対象書類名】図面
【補正対象項目名】図１３
【補正方法】変更
【補正の内容】
【図１３】
2014115235.tif 000002
【手続補正１０】
【補正対象書類名】図面
【補正対象項目名】図１６
【補正方法】変更
【補正の内容】
【図１６】
2014115235.tif 000003